(57)【要約】　　　（修正有）【課題】八角・六角ボルト等や八角・六角ナット等の一部を破損させにくく、開閉時に狭所での作業時にも強力なトルクをかけることが出来るため、他の工具を用いて八角・六角ボルト等や八角・六角ナット等を締め付けたり外したりする事が無く、大幅に作業効率を改善したモンキーレンチを提供する。【解決手段】ハンドル部のウォームピンの操作時に掴む部分の厚みを薄く、八角・六角ボルト等や八角・六角ナット等の締め付け時や取り外し時に力を加える部分の厚みを広くし、かつ、ウォームピン及びウォームピン受けの溝を深くし強力な安定したトルクをかけることが出来るようにし、又、口部を八角・六角ボルト等や八角・六角ナット等にあてた時、上下アゴ部の凹凸により八角・六角ボルト等や八角・六角ナット等の全面ではなく何点かが上アゴ部及び下アゴ部に接するようにした。【選択図】図１
0003099830.tif 000002
【実用新案登録請求の範囲】
【請求項１】
モンキーレンチの上アゴ部及び下アゴ部の八角・六角ボルト等や八角・六角ナット等に接する面に凹凸を付けた為、上下アゴ部が八角・六角ボルト等や八角・六角ナット等の角に当たる事が少なく、八角・六角ボルト等や八角・六角ナット等の角に当たった際に締め付け時や取り外し時の強力な力が八角・六角ボルト等や八角・六角ナット等に加わっても、その力を角一点に集中させず分散させる為、八角・六角ボルト等や八角・六角ナット等を破損させ難くいモンキーレンチである。
【請求項２】
ハンドル部に於いて従来品に比べウォームピン操作時に掴む部分の厚みを薄く、八角・六角ボルト等や八角・六角ナット等の締め付け時や取り外し時に力を加える部分の厚みを広くし、かつ従来品に比べウォームピン及びウォームピン受けの溝を深くしウォームピンとウォームピン受けを確実に噛み合わせ、従来品に比べ下アゴ部の遊びが少なく、又、下アゴ部の開閉をスムーズにした為、八角・六角ボルト等や八角・六角ナット等の締め付け時や取り外し時に強力な安定したトルクをかけることが出来るようにしたモンキーレンチである。
【請求項３】
従来品に比べ口部の開閉時に本体からのウォームピン受けの突起が極端に少ない為、狭所での作業時にも邪魔にならず、安定した強力なトルクをかけられるようにしたモンキーレンチである。
【考案の詳細な説明】
【０００１】
【考案の属する技術分野】
本考案で取り上げたモンキーレンチとは、八角・六角ナット等や八角・六角ナット等を締め付けたり取り外したりする際に使用する工具のことであり、本考案はこのモンキーレンチに関するものである。
【０００２】
【従来の技術及び解決しようとする課題】
従来のモンキーレンチは、硬く締め付けられた八角・六角ボルト等や八角・六角ナット等や、錆び付いた八角・六角ボルト等や八角・六角ナット等を取り外
したり、強く締め付けたり取り外したりするために強力な力を加えた際、八角・六角ボルト等や八角・六角ナット等の頭を潰してしまい、取り外しや締め付けが困難となる場合が多々生じ、又、ハンドルの厚みが一定で薄く、下アゴ部の遊びも大きいため、八角・六角ボルト等や八角・六角ナット等の確実な締め付けが困難である上、下アゴの遊びにより目的開口寸法に下アゴ部をスムーズに合わせ難い為、他の工具を用いて八角・六角ボルト等や八角・六角ナット等の締め付け取り外し、及び、締め直しを行わなければならず、作業効率が非常に悪かった。
【０００３】
本考案は上述した問題点を解決するモンキーレンチを提唱するものである。
【０００４】
【考案を解決するための手段】
モンキーレンチの上アゴ部（図１−４）及び下アゴ部（図１−５）の八角・六角ボルト等や八角・六角ナット等に接する面に一般に使用頻度の高いサイズに合わせた凹凸を付けた為（図４）、上下アゴ部が八角・六角ボルト等や八角・六角ナット等の角に当たる事が少なく、又、八角・六角ボルト等や八角・六角ナット等の角に当たった際にも、締め付け時や取り外し時の強力な力が八角・六角ボルト等や八角・六角ナット等に加わっても、その力を角一点に集中させず分散させる為、八角・六角ボルト等や八角・六角ナット等を破損させ難くくした。
【０００５】
ハンドル部（図１−１）に於いて従来品に比べウォームピン（図１−２）の操作時に掴む部分の厚みを薄く、八角・六角ボルト等や八角・六角ナット等の締め付け時や取り外し時に力を加える部分の厚みを広くし（図２）、かつ従来品に比べウォームピン（図１−２）及びウォームピン受け（図１−３）の溝を深くしウォームピンとウォームピン受けを確実に噛み合わせ、従来品に比べ下アゴ部の遊びが少なく、又、下アゴ部（図１−５）の開閉をスムーズにし、八角・六角ボルト等や八角・六角ナット等の締め付け時や取り外し時に強力な安定したトルクをかけることを可能とした。
【０００６】
従来品に比べ口部の開閉時に本体からのウォームピン受けの突起が極端に少ない為、狭所での作業時にも邪魔にならず、安定した強力なトルクをかけられるようにした。
【０００７】
【考案の実施の形態】
本考案の実施例を図面によって説明する。ハンドル部のウォームピンの操作時に掴む部分の厚みを薄く、八角・六角ボルト等や八角・六角ナット等の締め付け時や取り外し時に力を加える部分の厚みを広くし、かつ、ウォームピン及びウォームピン受けの溝を深くし強力な安定したトルクをかけることが出来るようにし、又、口部（図１−７）を八角・六角ボルト等や八角・六角ナット等にあてた時、アゴ部の凹凸（図４）により八角・六角ボルト等や八角・六角ナット等の全面ではなく何点かが上アゴ部及び下アゴ部に接するようにすることにより（図３）、強力なトルクが上アゴ部及び下アゴ部を通し八角・六角ボルト等や八角・六角ナット等へ一点に集中せず分散して伝わる為、従来品に比べ格段に八角・六角ボルト等や八角・六角ナット等が破損し難いモンキーレンチである。
【０００８】
当該品は、開閉時にウォームピン受け（図１−３）の本体（図１）からの突起が少ないため狭所での作業時にも強力なトルクをかけることが出来る。
【０００９】
【考案の効果】
従来のモンキーレンチは、硬く締め付けられた八角・六角ボルト等や八角・六角ナット等、及び、錆び付いた八角・六角ボルト等や八角・六角ナット等を取り外す為強い力を加えたり、本締め相当の硬さまで締め付けようとする際、八角・六角ボルト等や八角・六角ナット等の頭をつぶしてしまい取り外しが困難となる場合が多々生じたり、締め付け時には他の工具を用いて増し締めしなければならず、非常に作業効率が悪かったが、当該品は、開口部（図１−１）を八角・六角ボルト等や八角・六角ナット等にあてた場合、八角・六角ボルト等や八角・六角ナット等の全面ではなくサイズに合わせて何点かが上アゴ部（図１−４）及び下アゴ部（図１−５）に接する。ハンドル部（図１−１）が広く、ウォームピン（図１−２）及びウォームピン受け（図１−３）の溝が深い為安定したトルクをかけることが出来、その強力なトルクが上アゴ部（図１−４）及び下アゴ部（図１−５）を通し八角・六角ボルト等や八角・六角ナット等に加わった際、アゴ部の凹凸（図２）によりトルクが一点に集中せず分散されるため、従来品に比べ、格段に八角・六角ボルト等や八角・六角ナット等の一部を破損させにくく、開閉時にウォームピン受け（図１−３）の本体（図１）からの突起が少ないため狭所での作業時にも強力なトルクをかけることが出来るため、他の工具を用いて八角・六角ボルト等や八角・六角ナット等を締め付けたり外したりする事が無く、従来品に比べ、大幅に作業効率を改善した。
【図面の簡単な説明】
【図１】全体図
【図２】側面図
【図３】開口部拡大図
【図４】開口部詳細図
【符号の説明】
１　　　ハンドル
２　　　ウォームピン
３　　　ウォームピン受け
４　　　上アゴ
５　　　下アゴ
６　　　口部凹凸
７　　　口部
８　　　ナット
【図１】
0003099830.tif 000003
【図２】
0003099830.tif 000004
【図３】
0003099830.tif 000005
【図４】
0003099830.tif 000006
【手続補正書】
【提出日】平成15年5月7日(2003.5.7)
【手続補正２】
【補正対象書類名】明細書
【補正対象項目名】実用新案登録請求の範囲
【補正方法】変更
【補正の内容】
【実用新案登録請求の範囲】
【請求項１】
従来のモンキーレンチは、硬く締め付けられた八角・六角ボルト等や八角・六角ナット等や、錆び付いた八角・六角ボルト等や八角・六角ナット等を取り外したり、強く締め付けたり取り外したりするために強力な力を加えた際、八角・六角ボルト等や八角・六角ナット等の頭を潰してしまい、取り外しや締め付けが困難となる場合が多々生じたが、当該品はモンキーレンチの上アゴ部及び下アゴ部の八角・六角ボルト等や八角・六角ナット等に接する面に凹凸を付けた為、上下アゴ部が八角・六角ボルト等や八角・六角ナット等の角に当たる事が少なく、八角・六角ボルト等や八角・六角ナット等の角に当たった際に締め付け時や取り外し時の強力な力が八角・六角ボルト等や八角・六角ナット等に加わっても、その力を角一点に集中させず分散させる為、八角・六角ボルト等や八角・六角ナット等を破損させ難く、他の工具に持ち替えることなく一度の工程でよって締め付けや取り外しといった作業を行う事が出来、現場での作業効率を著しく向上させたモンキーレンチである。
【請求項２】
従来のモンキーレンチは、ハンドルの厚みが一定で薄く、下アゴ部の遊びも大きいため、八角・六角ボルト等や八角・六角ナット等の確実な締め付けが困難である上、下アゴの遊びにより目的の開口寸法に下アゴ部をスムーズに合わせ難い為、他の工具を用いて八角・六角ボルト等や八角・六角ナット等の締め付けや取り外し、及び、締め直しを行わなければならず、作業効率が非常に悪かったが、当該品は、ハンドル部に於いてウォームピン操作時に掴むハンドル上部の厚みを薄く、八角・六角ボルト等や八角・六角ナット等の締め付け時や取り外し時に力を加えるハンドル下部の厚みを広くし、かつウォームピン及びウォームピン受けの溝を深くしウォームピンとウォームピン受けを確実に噛み合わせ、下アゴ部の遊びが少なくすると共に下アゴ部の開閉をスムーズにした為、八角・六角ボルト等や八角・六角ナット等の締め付け時や取り外し時に確実に目標の開口寸法に合わせられ、かつ、強力な安定したトルクをかけることが出来るようにし、その強力なトルクが八角・六角ボルト等や八角・六角ナット等にかかっても、請求項１に述べた通り八角・六角ボルト等や八角・六角ナット等の頭を潰さないため、他の工具に持ち替えることなく一度の工程でよって締め付け作業を行う事が出来、現場での作業効率を著しく向上させたモンキーレンチである。
【請求項３】
従来のモンキーレンチは口部の開閉時にウォームピンが本体より大きく飛び出すため、狭所での作業時に突起が邪魔になり、他の工具での作業を余儀なくされていたが、当該品は口部の開閉時に本体からのウォームピン受けの突起を極端に少なくした為、狭所での作業時にも邪魔にならず、安定した強力なトルクをかけることが出来、他の工具を用いて作業を行う必要が無く、その強力なトルクが八角・六角ボルト等や八角・六角ナット等にかかっても、請求項１に述べた通り、八角・六角ボルト等や八角・六角ナット等の頭を潰さないため、他の工具に持ち替えることなく一度の工程によって締め付け作業を行う事が出来、現場での作業効率を著しく向上させたモンキーレンチである。
【考案の詳細な説明】
【０００１】
【考案の属する技術分野】
本考案で取り上げたモンキーレンチとは、八角・六角ナット等や八角・六角ナット等を締め付けたり取り外したりする際に使用する工具のことであり、本考案はこのモンキーレンチに関するものである。
【０００２】
【従来の技術及び解決しようとする課題】
従来のモンキーレンチは、硬く締め付けられた八角・六角ボルト等や八角・六角ナット等や、錆び付いた八角・六角ボルト等や八角・六角ナット等を取り外したり、強く締め付けたり取り外したりするために強力な力を加えた際、八角・六角ボルト等や八角・六角ナット等の頭を潰してしまい、取り外しや締め付けが困難となる場合が多々生じ、又、ハンドルの厚みが一定で薄く、下アゴ部の遊びも大きいため、八角・六角ボルト等や八角・六角ナット等の確実な締め付けが困難である上、下アゴの遊びにより目的開口寸法に下アゴ部をスムーズに合わせ難く、また、口部の開閉時にウォームピンが本体より大きく飛び出すため、狭所での作業時に突起が邪魔になり、モンキーレンチのみ作業することが困難で、他の工具を用いて八角・六角ボルト等や八角・六角ナット等の締め付け取り外し、及び、締め直しを行わなければならず、作業効率が非常に悪かった。
【０００３】
本考案は上述した問題点を解決するモンキーレンチを提唱するものである。
【０００４】
【考案を解決するための手段】
モンキーレンチの上アゴ部（図１−４）及び下アゴ部（図１−５）の八角・六角ボルト等や八角・六角ナット等に接する面に一般に使用頻度の高いサイズに合わせた凹凸を付けた為（図４）、上下アゴ部が八角・六角ボルト等や八角・六角ナット等の角に当たる事が少なく、又、八角・六角ボルト等や八角・六角ナット等の角に当たった際にも、締め付け時や取り外し時の強力な力が八角・六角ボルト等や八角・六角ナット等に加わっても、その力を角一点に集中させず分散させる為、八角・六角ボルト等や八角・六角ナット等を破損させ難くくした。
【０００５】
ハンドル部（図１−１）に於いて従来品に比べウォームピン（図１−２）の操作時に掴む部分の厚みを薄く、八角・六角ボルト等や八角・六角ナット等の締め付け時や取り外し時に力を加える部分の厚みを広くし（図２）、かつ従来品に比べウォームピン（図１−２）及びウォームピン受け（図１−３）の溝を深くしウォームピンとウォームピン受けを確実に噛み合わせ、従来品に比べ下アゴ部の遊びが少なく、又、下アゴ部（図１−５）の開閉をスムーズにし、八角・六角ボルト等や八角・六角ナット等の締め付け時や取り外し時に強力な安定したトルクをかけることを可能とした。
【０００６】
従来品に比べ口部の開閉時に本体からのウォームピン受け（図１−３）の突起が極端に少ない為、狭所での作業時にも邪魔にならず、安定した強力なトルクをかけられるようにした。
【０００７】
【考案の実施の形態】
本考案の実施例を図面によって説明する。ハンドル部（図１−１）のウォームピン（図１−２）の操作時に掴む部分の厚みを薄く、八角・六角ボルト等や八角・六角ナット等の締め付け時や取り外し時に力を加える部分の厚みを広くし、かつ、ウォームピン（図１−２）及びウォームピン受け（図１−３）の溝を深くし強力な安定したトルクをかけることが出来るようにし、口部（図１−７）を八角・六角ボルト等や八角・六角ナット等にあてた時、アゴ部の凹凸（図４）により八角・六角ボルト等や八角・六角ナット等の全面ではなく何点かが上アゴ部及び下アゴ部に接するようにすることにより（図３）、強力なトルクが上アゴ部及び下アゴ部を通し八角・六角ボルト等や八角・六角ナット等へ一点に集中せず分散して伝わる為、八角・六角ボルト等や八角・六角ナット等の締め付け時や取り外し時に強力な安定したトルクをかけても八角・六角ボルト等や八角・六角ナット等が破損し難いモンキーレンチである。
【０００８】
当該品は、開閉時にウォームピン受け（図１−３）の本体（図１）からの突起が少ないため狭所での作業時にも強力なトルクをかけることが出来るモンキーレンチである。
【０００９】
【考案の効果】
従来のモンキーレンチは、硬く締め付けられた八角・六角ボルト等や八角・六角ナット等、及び、錆び付いた八角・六角ボルト等や八角・六角ナット等を取り外す為強い力を加えたり、本締め相当の硬さまで締め付けようとする際、八角・六角ボルト等や八角・六角ナット等の頭をつぶしてしまい取り外しが困難となる場合が多々生じたり、締め付け時には他の工具を用いて増し締めしなければならず、非常に作業効率が悪かったが、当該品は、開口部（図１−１）を八角・六角ボルト等や八角・六角ナット等にあてた場合、八角・六角ボルト等や八角・六角ナット等の全面ではなくサイズに合わせて何点かが上アゴ部（図１−４）及び下アゴ部（図１−５）に接する。また、ハンドル部（図１−１）に於いてウォームピン（図１−２）操作時に掴むハンドル上部の厚みを薄く、八角・六角ボルト等や八角・六角ナット等の締め付け時や取り外し時に力を加えるハンドル下部の厚みを広くし、ウォームピン（図１−２）及びウォームピン受け（図１−３）の溝を深くした為安定した強力なトルクをかけることが出来、その強力なトルクが上アゴ部（図１−４）及び下アゴ部（図１−５）を通し八角・六角ボルト等や八角・六角ナット等に加わった際、アゴ部の凹凸（図２）によりトルクが一点に集中せず分散されるため、八角・六角ボルト等や八角・六角ナット等の一部を破損させにくく、開閉時にウォームピン受け（図１−３）の本体（図１）からの突起が少ないため狭所での作業時にも強力なトルクをかけることが出来るため、他の工具を用いて八角・六角ボルト等や八角・六角ナット等を締め付けたり外したりする事が無く、従来品に比べ大幅に作業効率を改善した。
【手続補正書】
【提出日】平成15年8月26日(2003.8.26)
【手続補正２】
【補正対象書類名】明細書
【補正対象項目名】実用新案登録請求の範囲
【補正方法】変更
【補正の内容】
【実用新案登録請求の範囲】
【請求項１】
上アゴ部及び下アゴ部の、締め付け時や取り外し時に八角・六角ボルト等や
八角・六角ナット等に接する面に凹凸を付け、上下アゴ部が八角・六角ボルト等や八角・六角ナット等の角に当たる事が少なくしたモンキーレンチ。
【請求項２】
ハンドル部に於いてウォームピン操作時に掴むハンドル上部の厚みを薄く、八角・六角ボルト等や八角・六角ナット等の締め付け時や取り外し時に力を加えるハンドル下部の厚みを広くし、かつウォームピン及びウォームピン受けの溝を深くしウォームピンとウォームピン受けを確実に噛み合わせ、下アゴ部の遊びが少なくすると共に下アゴ部の開閉をスムーズにした請求項１記載のモンキーレンチである。
【請求項３】
口部の開閉時に本体からのウォームピン受けの突起を極端に少なくした請求項１記載のモンキーレンチである。
【手続補正３】
【補正対象書類名】明細書
【補正対象項目名】考案の詳細な説明
【補正方法】変更
【補正の内容】
【考案の詳細な説明】
【０００１】
【考案の属する技術分野】
本考案で取り上げたモンキーレンチとは、八角・六角ナット等や八角・六角ナット等を締め付けたり取り外したりする際に使用する工具のことであり、本考案はこのモンキーレンチに関するものである。
【０００２】
【従来の技術及び解決しようとする課題】
従来のモンキーレンチは、硬く締め付けられた八角・六角ボルト等や八角・六角ナット等や、錆び付いた八角・六角ボルト等や八角・六角ナット等を取り外したり、強く締め付けたり取り外したりするために強力な力を加えた際、八角・六角ボルト等や八角・六角ナット等の頭を潰してしまい、八角・六角ボルト等や八角・六角ナット等の取り外しや締め付けが困難となる場合が多々生じた。又、ハンドルの厚みが一定で薄く、下アゴ部の遊びも大きいため、八角・六角ボルト等や八角・六角ナット等の確実な締め付けが困難である上、下アゴの遊びにより目的開口寸法に下アゴ部をスムーズに合わせ難く、又、口部の開閉時にウォームピンが本体より大きく飛び出すため、狭所での作業時に突起が邪魔になり、モンキーレンチのみで作業することが困難で、他の工具を用いて八角・六角ボルト等や八角・六角ナット等の締め付け取り外し、及び、締め直しを行わなければならず、作業効率が非常に悪かった。
【０００３】
本考案は上述した問題点を解決するモンキーレンチを提唱するものである。
【０００４】
【考案を解決するための手段】
モンキーレンチの上アゴ部（図１−４）及び下アゴ部（図１−５）の八角・六角ボルト等や八角・六角ナット等に接する面に一般に使用頻度の高いサイズに合わせた凹凸を付け（図４）、上下アゴ部が八角・六角ボルト等や八角・六角ナット等の角に当たる事が少なくし、又、八角・六角ボルト等や八角・六角ナット等の角に当たった際にも、締め付け時や取り外し時の強力な力が八角・六角ボルト等や八角・六角ナット等に加わっても、その力を角一点に集中させず分散させる為、八角・六角ボルト等や八角・六角ナット等を破損させ難くくした。
【０００５】
ハンドル部（図１−１）に於いて従来品に比べウォームピン（図１−２）の操作時に掴む部分の厚みを薄く、八角・六角ボルト等や八角・六角ナット等の締め付け時や取り外し時に力を加える部分の厚みを広くし（図２）、かつ従来品に比べウォームピン（図１−２）及びウォームピン受け（図１−３）の溝を深くしウォームピンとウォームピン受けを確実に噛み合わせ、従来品に比べ下アゴ部の遊びが少なく、かつ、下アゴ部（図１−５）の開閉をスムーズにし、目的の開口寸法に素早く合わせることを可能とすると共に八角・六角ボルト等や八角・六角ナット等の締め付け時や取り外し時に強力な安定したトルクをかけることを可能とした。
【０００６】
従来品に比べ口部の開閉時に本体からのウォームピン受け（図１−３）の突起が極端に少ない為、狭所での作業時にも邪魔にならず、安定した強力なトルクをかけられるようにした。
【０００７】
【考案の実施の形態】
本考案の実施例を図面によって説明する。ハンドル部（図１−１）のウォームピン（図１−２）の操作時に掴む部分の厚みを薄く、八角・六角ボルト等や八角・六角ナット等の締め付け時や取り外し時に力を加える部分の厚みを広くし、かつ、ウォームピン（図１−２）及びウォームピン受け（図１−３）の溝を深くし強力な安定したトルクをかけることが出来ると共に下アゴ部の開閉をスムーズにし、口部（図１−７）を八角・六角ボルト等や八角・六角ナット等にあてた時、アゴ部の凹凸（図４）により八角・六角ボルト等や八角・六角ナット等の全面ではなく何点かが上アゴ部及び下アゴ部に接するようにすることにより（図３）、強力なトルクが上アゴ部及び下アゴ部を通し八角・六角ボルト等や八角・六角ナット等へ一点に集中せず分散して伝わる為、八角・六角ボルト等や八角・六角ナット等の締め付け時や取り外し時に強力な安定したトルクをかけても八角・六角ボルト等や八角・六角ナット等が破損し難いモンキーレンチである。
【０００８】
当該品は、開閉時にウォームピン受け（図１−３）の本体（図１）からの突起が少ないため狭所での作業時にも安定した強力なトルクをかけることが出来るモンキーレンチである。
【０００９】
【考案の効果】
従来のモンキーレンチは、硬く締め付けられた八角・六角ボルト等や八角・六角ナット等、及び、錆び付いた八角・六角ボルト等や八角・六角ナット等を取り外す為強い力を加えたり、本締め相当の硬さまで締め付けようとする際、八角・六角ボルト等や八角・六角ナット等の頭をつぶしてしまい取り外しが困難となる場合が多々生じたり、締め付け時には他の工具を用いて増し締めしなければならず、非常に作業効率が悪かったが、当該品は、開口部（図１−１）を八角・六角ボルト等や八角・六角ナット等にあてた場合、八角・六角ボルト等や八角・六角ナット等の全面ではなくサイズに合わせて何点かが上アゴ部（図１−４）及び下アゴ部（図１−５）に接する。また、ハンドル部（図１−１）に於いてウォームピン（図１−２）操作時に掴むハンドル上部の厚みを薄く、八角・六角ボルト等や八角・六角ナット等の締め付け時や取り外し時に力を加えるハンドル下部の厚みを広くし、ウォームピン（図１−２）及びウォームピン受け（図１−３）の溝を深くした為安定した強力なトルクをかけると共に下アゴ部の開閉をスムーズに行う事が出来、その強力なトルクが上アゴ部（図１−４）及び下アゴ部（図１−５）を通し八角・六角ボルト等や八角・六角ナット等に加わった際、アゴ部の凹凸（図２）によりトルクが一点に集中せず分散されるため、八角・六角ボルト等や八角・六角ナット等の一部を破損させにくく、開閉時にウォームピン受け（図１−３）の本体（図１）からの突起が少ないため狭所での作業時にも強力なトルクをかけることが出来るため、他の工具を用いて八角・六角ボルト等や八角・六角ナット等を締め付けたり外したりする事が無く、従来品に比べ大幅に作業効率を改善した。